(57)【要約】【課題】ヘアキャッチャを有する排水装置において使い勝手をよくすることが可能な排水装置を提供する。【解決手段】ヘアキャッチャ２０を有する排水装置Ｍであって、前記ヘアキャッチャ２０の状態は、前記ヘアキャッチャ２０が排水口１０に嵌合している第１状態と、前記ヘアキャッチャ２０が前記排水口１０に嵌合していない第２状態との何れかに、ユーザーによる切り替え操作によって設定可能である。このような構成によれば、ヘアキャッチャ２０により水の流れが妨げられそうな場合に、ヘアキャッチャ２０を排水口１０に嵌合していない状態にして速やかに排水できるから、使い勝手を良くすることができる。【選択図】図３
2020153065.tif 000002
【特許請求の範囲】
【請求項１】
ヘアキャッチャを有する排水装置であって、
前記ヘアキャッチャの状態は、前記ヘアキャッチャが排水口に嵌合している第１状態と、前記ヘアキャッチャが前記排水口に嵌合していない第２状態との何れかに、ユーザーによる切り替え操作によって設定可能である排水装置。
【請求項２】
排水栓を備え、
前記排水栓の状態は、前記排水栓が前記排水口を塞ぐ閉状態と、前記排水栓が前記排水口を開いて前記排水栓と前記排水口との間に形成される排水路の流路面積を第１流路面積にする第１開状態と、前記排水栓が前記排水口を開いて前記排水路の流路面積を前記第１流路面積よりも大きい第２流路面積にする第２開状態との何れかに、ユーザーによる切り替え操作によって設定可能である請求項１に記載の排水装置。
【請求項３】
前記排水栓の状態が前記第１開状態に設定された場合、前記ヘアキャッチャの状態は前記第１状態に設定される請求項２に記載の排水装置。
【請求項４】
前記排水栓の状態が前記第２開状態に設定された場合、前記ヘアキャッチャの状態は前記第２状態に設定される請求項１から請求項３のいずれか一項に記載の排水装置。
【請求項５】
前記排水栓の状態が前記第１開状態に設定された場合、前記ヘアキャッチャの状態は前記第２状態に設定される請求項２に記載の排水装置。
【請求項６】
前記第１開状態における前記排水栓の上面は、前記排水口が設けられた面よりも低い位置に配置される請求項２から請求項５のいずれか一項に記載の排水装置。
【発明の詳細な説明】
【技術分野】
【０００１】
本発明は、排水装置に関する。
【背景技術】
【０００２】
従来、洗面化粧台や浴槽などの排水口に備えられる排水装置において、排水口の下流に続く排水管にゴミ等が流れ込むことを防ぐべく、ヘアキャッチャを備えたものが知られている。例えば下記特許文献１には、操作ボタンを押し下げると、排水栓が上昇して排水口が開く排水装置が記載されている。ヘアキャッチャは、排水栓の下側に備えられており、排水栓の上昇時にも排水口に嵌合した状態を保つ。
【先行技術文献】
【特許文献】
【０００３】
【特許文献１】特開平１０−１６８９７５号公報
【発明の概要】
【発明が解決しようとする課題】
【０００４】
しかしながら、上記のような構成では、ヘアキャッチャにゴミ等が溜まっている場合、排水栓を上昇しても速やかに排水されない虞がある。すると、洗面や洗髪など、水を流しながらの作業中に水が溜まり続け、結局はヘアキャッチャを掃除する必要が生じ、作業を中断せざるを得なくなる。ヘアキャッチャにゴミが溜まっていない場合でも、水の流れがヘアキャッチャによって妨げられる分、速やかな排水がなされないことがある。
【０００５】
本発明は上記のような事情に基づいて完成されたものであって、ヘアキャッチャを有する排水装置において使い勝手をよくすることが可能な排水装置を提供することを目的とする。
【課題を解決するための手段】
【０００６】
本発明の排水装置は、ヘアキャッチャを有する排水装置であって、前記ヘアキャッチャを、排水口に嵌合している第１状態と、前記排水口に嵌合していない第２状態とに切り替え自在な切り替え操作部を備えているものである。ここで、嵌合とは、ヘアキャッチャの外周面が、排水口の内周面に近接または当接することである。
【図面の簡単な説明】
【０００７】
【図１】実施例１における排水装置の止水状態を示す断面図
【図２】排水装置の第１排水状態を示す断面図
【図３】排水装置の第２排水状態を示す断面図
【図４】実施例２における排水装置の第２排水状態を示す断面図
【図５】第２排水状態の排水装置を示す断面図であって、図４のＡ−Ａ位置における断面に相当する断面図
【図６】排水部品が第２排水状態より高い位置に配置された状態の排水装置を示す断面図
【図７】排水部品が第２排水状態より高い位置に配置された状態の排水装置を示す断面図であって、図６のＢ−Ｂ位置における断面に相当する断面図
【発明を実施するための形態】
【０００８】
＜実施例１＞
以下、本発明を具体化した実施例１について、図１〜図３を参照しつつ詳細に説明する。  本実施例における排水装置Ｍは、排水口１０の下流に続く排水管１１にゴミ等が流れ込むことを防ぐヘアキャッチャ２０を備えている。排水装置Ｍは、ヘアキャッチャ２０を、図１及び図２に示すように、排水口１０に嵌合している第１状態と、図３に示すように、排水口１０に嵌合していない第２状態とに切り替え自在な切り替え操作部３０を備えている。以下、各構成部材において、図１の上側を上方、下側を下方として説明する。
【０００９】
排水口１０は、図１に示すように、洗面化粧台の洗面ボウルの底面や浴槽の底面など（以後、排水面１２と称する。）に設けられている。排水口１０は、内径寸法が変化する傾斜部１３と、内径寸法が概ね一定の直管部１４とを有している。傾斜部１３は、直管部１４の上流側に位置している。傾斜部１３は、排水面１２に向かって内径寸法が少しずつ大きくなる。傾斜部１３の上端は排水面１２に連続する。直管部１４の下流側に排水管１１が延びている。排水管１１の一部は湾曲し、図示しない排水管トラップを構成する。
【００１０】
ヘアキャッチャ２０は、排水口１０に収納される排水部品２１に設けられている。排水部品２１は、ヘアキャッチャ２０と、排水栓２２と、支持部２４と、軸部２５とを有している。ヘアキャッチャ２０、排水栓２２及び支持部２４は、軸部２５に固定されている。ヘアキャッチャ２０は、軸部２５に沿って、多少、上下に移動できるようになっていてもよい。排水栓２２は軸部２５の上端に設けられている。ヘアキャッチャ２０は排水栓２２の下方に設けられている。支持部２４はヘアキャッチャ２０の下方（軸部２５の下端）に設けられている。
【００１１】
排水栓２２は、軸部２５を中心に水平方向に突出した円板状をなしている。排水栓２２の内径寸法は、直管部１４の内径寸法より大きい。排水栓２２は、傾斜部１３に嵌合する。排水栓２２が傾斜部１３に嵌合した状態は、排水口１０を塞ぐ閉状態である。閉状態では、排水栓２２の外周面２２Ｓは、傾斜部１３の内周面１３Ｕに当接する。
【００１２】
排水栓２２は、図２及び図３に示すように、閉状態の高さ位置より上方に移動自在である。排水栓２２が閉状態の高さ位置より上方に位置した状態は、排水口１０を開く開状態である。開状態では、排水栓２２の外周面２２Ｓは、傾斜部１３の内周面１３Ｕから離れる。排水栓２２の外周面２２Ｓと傾斜部１３の内周面１３Ｕとの間には、排水路（以後、第１排水路Ｒ１と称する。）が形成される。排水栓２２の位置が上昇すればするほど、排水栓２２の外周面２２Ｓと傾斜部１３の内周面１３Ｕとの水平方向の距離及び垂直方向の距離は増す。すなわち、排水栓２２の位置が上昇すればするほど、第１排水路Ｒ１の流路面積は増す。
【００１３】
ヘアキャッチャ２０は、図１に示すように、軸部２５を中心に水平方向に突出した円板状をなしている。ヘアキャッチャ２０には、複数の丸孔が開口している。ヘアキャッチャ２０は、毛髪やゴミなどが排水管１１に流れ込むことを抑制する。ヘアキャッチャ２０は、軸部２５に対して取付け高さ位置を変えることができる。なお、ヘアキャッチャ２０の開口は、どのような形態であってもよく、例えば格子状又は網状に形成されたものであってもよい。
【００１４】
ヘアキャッチャ２０の外径は、排水栓２２より一回り小さく、直管部１４の内径寸法と同等の外径寸法を有している。ヘアキャッチャ２０は、図１及び図２に示すように、直管部１４の内部を上下方向に移動自在である。ヘアキャッチャ２０が直管部１４に嵌合した第１状態では、ヘアキャッチャ２０の外周面２０Ｓは、直管部１４の内周面１４Ｕに近接または当接する。
【００１５】
ヘアキャッチャ２０は、図３に示すように、直管部１４より上方に移動自在である。ヘアキャッチャ２０が直管部１４より上方に移動した状態では、ヘアキャッチャ２０の外周面２０Ｓは、傾斜部１３の内周面１３Ｕから離れる。ヘアキャッチャ２０の外周面２０Ｓと傾斜部１３の内周面１３Ｕとの間には、ヘアキャッチャ２０の丸孔とは別の排水路（以後、第２排水路Ｒ２と称する。）が形成される。ヘアキャッチャ２０の位置が上昇すればするほど、ヘアキャッチャ２０の外周面２０Ｓと傾斜部１３の内周面１３Ｕとの水平方向の距離及び垂直方向の距離は増す。すなわち、ヘアキャッチャ２０の位置が上昇すればするほど、第２排水路Ｒ２の流路面積は増す。
【００１６】
支持部２４は、軸部２５を中心に水平方向に突出している。支持部２４は、ヘアキャッチャ２０より大きい開口（指輪程度の大きさのものが引っ掛かる大きさの開口）を有している。支持部２４の外周部２７は円環状をなし、切り替え操作部３０のリフト部３２の上側に載置される。
【００１７】
切り替え操作部３０は、上下方向に変位する操作ボタン部３１と、操作ボタン部３１の変位に伴って上下方向に変位するリフト部３２と、操作ボタン部３１とリフト部３２とを連結する連結部３３とを備えている。
【００１８】
連結部３３は、金属製のワイヤ３３Ａと、ワイヤ３３Ａの周りを包囲する樹脂製の被覆３３Ｂとを有している。ワイヤ３３Ａは、被覆３３Ｂの内部を軸方向に移動自在である。ワイヤ３３Ａが軸方向に移動（進退）することにより、リフト部３２が上下動する。
【００１９】
操作ボタン部３１は、下方に押圧されることにより下方に変位し、上方に引っ張られることにより上方に変位する。リフト部３２は、操作ボタン部３１が下方に変位すると上方に変位し、操作ボタン部３１が上方に変位すると下方に変位する。
【００２０】
リフト部３２は、排水部品２１の下面（支持部２４の外周部２７）を支持する。リフト部３２が上昇すると排水部品２１は上昇し、リフト部３２が下降すると排水部品２１は下降する。排水部品２１の上下動により排水栓２２及びヘアキャッチャ２０は上下動する。すなわち、切り替え操作部３０は、排水栓２２を閉状態と開状態に切り替え自在な排水栓切り替え操作部を兼ねている。
【００２１】
連結部３３は、操作ボタン部３１の上下動の際に抵抗を生じる抵抗手段３４を備えている。抵抗手段３４は、図１に示すように、連結部３３の外周面に装着されたＯリング３５と、連結部３３を包囲する筒状部材３６とを有している。抵抗手段３４は、連結部３３のＯリング３５と筒状部材３６の内周面との接触により摩擦力を生じる。抵抗手段３４により、操作ボタン部３１は、上下動可能な範囲内で任意の高さ位置に止められる。すなわち、切り替え操作部３０は、排水部品２１の高さ位置を、上下動可能な範囲内で任意の位置に止める。
【００２２】
切り替え操作部３０を操作することにより、ヘアキャッチャ２０は第１状態（図１及び図２参照）と第２状態（図３参照）とに切り替えられる。切り替え操作部３０を操作することにより、排水栓２２は、閉状態と、第１開状態と、第２開状態とに切り替えられる。第１開状態（図２参照）は、第１排水路Ｒ１の流路面積を第１流路面積にする。第２開状態（図３参照）は、第１排水路Ｒ１の流路面積を第１流路面積より大きい第２流路面積にする。第２開状態は、切り替え操作部３０の操作範囲内、すなわち操作ボタン部３１の上下動可能な範囲内において、操作ボタン部３１を最も低い位置に配置したとき（排水部品２１が最も上昇したとき）の状態である。第１開状態は、排水部品２１の高さ位置が第２開状態より低い位置にあり、排水栓２２の上面が排水面１２よりも低い位置に配置されているときの状態である。
【００２３】
次に、本実施例の排水装置Ｍの使用例を説明する。切り替え操作部３０を操作することにより、排水口１０の排水状態は次のように変わる。すなわち排水栓２２が閉状態でヘアキャッチャ２０が第１状態となる止水状態（図１参照）と、排水栓２２が第１開状態でヘアキャッチャ２０が第１状態となる第１排水状態（図２参照）と、排水栓２２が第２開状態でヘアキャッチャ２０が第２状態となる第２排水状態（図３参照）に変わる。  
【００２４】
洗面ボウルなどに水を溜める場合には、図１に示すように、操作ボタン部３１を最も高い位置（最大限上方に引っ張った位置）に止め、排水装置Ｍを止水状態にする。止水状態では、排水口１０からの排水はなされない。
【００２５】
排水口１０から排水する場合には、第１のパターンとして、図２に示すように、操作ボタン部３１を最も高い位置より低い位置に止め、排水装置Ｍを第１排水状態にする。第１排水状態では、第１排水路Ｒ１の流路面積が小さいから、細かいものが排水口１０内に流れ込みにくい。ヘアキャッチャ２０が第１状態であるから、ヘアキャッチャ２０により排水口１０内へのゴミ等の流れ込みが防がれる。すなわち排水装置Ｍを第１排水状態にすることで、排水口１０内へのゴミ等の流れ込みを抑制しながら排水できる。
【００２６】
加えて、第１排水状態における排水栓２２の上面は、図２に示すように、排水面（排水口１０が設けられた面）１２より低い位置に配置されている。すなわち、排水栓２２が排水面１２から突出しないから、排水面１２に洗面器等を置いたり、物を洗ったりする場合に排水栓２２が邪魔にならない。排水栓２２によって排水口１０が覆われるため、排水口１０内部の汚れが目につきにくい。
【００２７】
排水口１０から排水する場合には、第２のパターンとして、図３に示すように、操作ボタン部３１を第１排水状態の位置よりさらに低い位置に止め、排水装置Ｍを第２排水状態にする。第２排水状態では、第１排水路Ｒ１の流路面積が大きいから、大量の水を速やかに排水できる。ヘアキャッチャ２０が第２状態であるから、ヘアキャッチャ２０にゴミ等が溜まっている場合にも、第２排水路Ｒ２により速やかに排水される。第２排水路Ｒ２が開いていることにより、ヘアキャッチャ２０による抵抗が少なくなり、ヘアキャッチャ２０において水が滞留することが防がれる。よって、大量の水を速やかに排水できる。
【００２８】
次に、上記のように構成された実施例の作用および効果について説明する。本実施例の排水装置Ｍは、ヘアキャッチャ２０を有する排水装置Ｍであって、ヘアキャッチャ２０を、排水口１０に嵌合している第１状態と、排水口１０に嵌合していない第２状態とに切り替え自在な切り替え操作部３０を備えている。この構成によれば、へアキャッチャにより水の流れが妨げられそうな場合に、切り替え操作部３０を操作し、ヘアキャッチャ２０を排水口１０に嵌合していない第２状態にして速やかに排水できるから、使い勝手を良くすることができる。
【００２９】
切り替え操作部３０は、第１開状態と、第２開状態とを切り替え自在である。第２開状態では、第１排水路Ｒ１の流路面積が、第１開状態の場合よりも大きい。この構成によれば、第１排水路Ｒ１の流路面積を２段階で変えて排水量を変えることができ、使い勝手をより良くできる。
【００３０】
排水装置Ｍは、第１開状態ではヘアキャッチャ２０が第１状態になり、第２開状態ではヘアキャッチャ２０が第２状態になる。この構成によれば、例えばヘアキャッチャ２０によりゴミが排水口１０に流れ込むことを防ぎつつ少量の水を流したり、排水口１０の流路面積を大きくして速やかに排水したりする等、使用状況に応じて排水の仕方を選択できるから、使い勝手をより良くできる。
【００３１】
第１開状態における排水栓２２の上面が、排水面１２よりも低い位置に配置されている。この構成によれば、排水時に排水栓２２が邪魔にならないから、排水栓２２の上方に洗面器等を置いたりでき、使い勝手をより良くできる。
【００３２】
＜実施例２＞
次に、本発明を具体化した実施例２に係る排水装置５０を図４〜図７によって説明する。本実施例の排水装置５０は、排水部品２１を第２排水状態よりさらに高い位置に上げることが可能なリフトアップ構造を有している点で、実施例１とは相違する。なお、実施例１と同様の構成には同一符号を付して重複する説明を省略する。
【００３３】
本実施例に係る排水装置５０は、実施例１と同様に、ヘアキャッチャ２０と、ヘアキャッチャ２０を、排水口１０に嵌合している第１状態と、排水口１０に嵌合していない第２状態とに切り替え自在な切り替え操作部３０とを備えている。ヘアキャッチャ２０は、実施例１と同様、排水栓２２、支持部２４、及び軸部２５を有する排水部品２１に設けられている。切り替え操作部３０は、実施例１と同様、排水栓２２を閉状態と開状態とに切り替え自在な排水栓切り替え操作部を兼ねている。
【００３４】
排水部品２１には、直管部１４に嵌合することで排水口１０に対する排水部品２１の傾きや揺れが防ぐガイド部２３が設けられている。ガイド部２３は、ヘアキャッチャ２０と支持部２４との間に設けられている。ガイド部２３は、図４に示すように、軸部２５を中心に水平方向に突出する４つの突出片２３Ａを有している。ガイド部２３が直管部１４に嵌合している状態とは、突出片２３Ａの突出端（径方向の端）が、直管部１４の内周面１４Ｕに近接または当接した状態である。なお、突出片２３Ａの数は変更できる。
【００３５】
リフトアップ構造は、手動により、排水部品２１を第２排水状態よりさらに高い位置に上げるためのものである（図６参照）。リフトアップ構造は、直管部１４の内周面１４Ｕに設けられた上下方向に延びる複数のリブ５２を有している。各リブ５２は、直線状に延びている。複数のリブ５２は、図５に示すように、直管部１４の内周面１４Ｕに、周方向に等間隔で配置されている。複数のリブ５２の上端面は、排水部品２１が載置される載置面５３を構成する。載置面５３は、排水部品２１の下面を略水平に支持する。
【００３６】
リフトアップ構造は、図５に示すように、排水部品２１の支持部２４に形成された複数の凹部５４を有している。複数の凹部５４は、リブ５２に対応する間隔で支持部２４の外周部２７に形成されている。支持部２４は、凹部５４にリブ５２を入り込ませた状態で直管部１４内を上下動する（図４参照）。支持部２４は、図６に示すように、リブ５２の上端面より上方の位置で、図７に示すように、凹部５４がリブ５２から周方向にずれたときに、リブ５２の上端面に支持される。すなわち支持部２４の外周部２７のうち凹部５４の間の部分が、リブ５２の上端面に載置される。
【００３７】
排水部品２１は、常には、図４及び図５に示すように、支持部２４の凹部５４にリブ５２を入り込ませた状態で排水口１０に配置される。これにより、実施例１と同様、切り替え操作部３０を操作することにより、排水口１０の排水状態を、止水状態、第１排水状態、及び第２排水状態に切り替えできる。
【００３８】
加えて、リフトアップ構造により、図６に示すように、排水部品２１を、第２排水状態における高さ位置より高い位置に保持できる。すなわち排水栓２２を把持して、支持部２４がリブ５２の上端面より上方に位置するまで排水部品２１を持ち上げて回動し、支持部２４の外周部２７をリブ５２の載置面５３に載置する。この状態では、排水栓２２及びヘアキャッチャ２０が、排水口１０よりも上方に位置し、第１排水路Ｒ１及び第２排水路Ｒ２の流路面積が、第２排水状態より大きくなるため、より速やかに排水できる。ガイド部２３は、この状態においても直管部１４に嵌合している。
【００３９】
以上のように本実施例においては、実施例１と同様、ヘアキャッチャ２０により水の流れが妨げられそうな場合に、ヘアキャッチャ２０を排水口１０に嵌合していない第２状態にして速やかに排水できるから、使い勝手を良くすることができる。さらに、第２排水状態より高い位置に排水部品２１を保持できるから、より速やかな排水を実現でき、また排水状態の選択肢が増え、使い勝手をさらに良くすることができる。
【００４０】
＜他の実施例＞
本発明は上記記述及び図面によって説明した実施例に限定されるものではなく、例えば次のような実施例も本発明の技術的範囲に含まれる。
（１）上記実施例では、抵抗手段３４の具体的な構成を例示したが、これに限らず、抵抗手段の具体的な構成は変更できる。この場合、例えば、Ｏリングによる摩擦力に換えて、凹凸嵌合により操作ボタン部を任意の高さ位置に止めてもよい。具体的には、例えば連結部の外周面と筒状部材の内周面とに、軸方向に凸部と凹部とが交互に連続する凹凸形状を形成し、凹凸形状が、軸方向における任意の位置で嵌合する構成としてもよい。
（２）上記実施例では、切り替え操作部３０が、排水部品２１の高さ位置を、上下動可能な範囲内で任意の位置に止めるが、これに限らず、切り替え操作部は、排水部品の高さ位置を、決まった位置で段階的に止めるものであってもよい。
（３）上記実施例では、切り替え操作部３０は、排水栓２２を閉状態と開状態に切り替え自在な排水栓切り替え操作部を兼ねているが、これに限らず、排水栓の排水状態を切り替える操作部を有さず、排水栓を直接手で把持し、手動で高さ位置を切り替えるものでもよい。
（４）上記実施例では、切り替え操作部３０が、排水栓２２を閉状態と開状態に切り替え自在な排水栓切り替え操作部を兼ねているが、これに限らず、ヘアキャッチャの切り替え操作部と、排水栓切り替え操作部とを別々に設けてもよい。この場合、排水栓の第１開状態においてヘアキャッチャが第２状態になるようにしてもよい。この構成によれば、第１排水路の流路面積が第２開状態より小さい第１流路面積であっても、ヘアキャッチャを第２状態にすることで速やかに排水できる。
（５）上記実施例では、操作ボタン部３１が下方に変位するとリフト部３２が上方に変位し、操作ボタン部３１が上方に変位するとリフト部３２が下方に変位するが、この関係は逆であってもよいし、操作ボタン部を押し動作すると交互にリフト部が上下動する押しボタン式であってもよい。
（６）上記実施例では、第２開状態が、切り替え操作部３０の操作範囲内において排水部品２１が最も上昇したときの状態とされているが、これに限らず、第１開状態及び第２開状態は、第１排水路の流路面積を大きくしたり小さくしたりできるものにおいて、相対的に第１排水路の流路面積が小さい状態を第１開状態、第１排水路の流路面積が大きい状態を第２開状態とすればよい。例えば、第１排水路の流路面積が所定の面積である状態（例えば排水栓が通常使用時の高さ位置にあるときの状態）を第１開状態とした場合、それよりも第１排水路の流路面積が大きい状態は第２開状態である。この第２開状態は、切り替え操作部の操作範囲内の限界でなくてもよい。
（７）上記実施例では、第１開状態において排水栓２２の上面が排水面１２よりも低い位置に配置されているが、これに限らず、第１開状態において排水栓の上面は排水栓より高い位置に配置されていてもよい。
（８）上記実施例では、排水栓２２が第１開状態でヘアキャッチャ２０が第１状態となるが、これに限らず、排水栓の状態が第１開状態に設定された場合に、ヘアキャッチャの状態が第２状態に設定されてもよい。これにより、洗面器上で洗い物をしている場合で、排水栓上に洗う物が載っており排水栓を少し上げて排水したい場合に、排水管を詰まらせるような大きなゴミなどは排水栓の上で流れていかないようにすることができる。
（９）上記実施例では、排水栓２２が第２開状態でヘアキャッチャ２０が第２状態となるが、これに限らず、排水栓の状態が第２開状態に設定された場合に、ヘアキャッチャの状態が第１状態に設定されてもよい。これにより、洗面器上に物がない場合、速やかに排水させたいとき、排水栓を高く上げて排水し、ゴミはヘアキャッチャでしっかり捕集させることができる。
【符号の説明】
【００４１】
Ｍ，５０…排水装置
Ｒ１…第１排水路（排水栓と排水口との間に形成される排水路）
１０…排水口
１２…排水面（排水口が設けられた面）
２０…ヘアキャッチャ
２２…排水栓
３０…切り替え操作部
【図１】
2020153065.tif 000003
【図２】
2020153065.tif 000004
【図３】
2020153065.tif 000005
【図４】
2020153065.tif 000006
【図５】
2020153065.tif 000007
【図６】
2020153065.tif 000008
【図７】
2020153065.tif 000009